(57)【要約】【課題】外装部材の配索形状を十分な剛性でもって保持することができるワイヤーハーネスを簡易な工程で製造する方法、および外装部材の配索形状を十分な剛性でもって保持することができるワイヤーハーネスを提供する。【解決手段】ワイヤーハーネスＸ１の製造方法は、中空部２１を囲む筒状をなし、複数の山部２２と複数の谷部２３とが軸方向に沿って交互に並ぶ形状を有することにより弾性的に曲げ変形可能な外装部材２を準備する工程と、外装部材２の中空部２１に電線１を挿入する工程と、電線１および外装部材２を曲げ変形させることにより所定の配索形状にする工程と、所定の配索形状に変形させた外装部材２の外周面を外装部材２の周方向に取り囲むように熱収縮部材４を配置する工程と、熱収縮部材４を加熱することで外装部材２の外周面に接するように外装部材２の径方向に収縮させ、これにより外装部材２の配索形状を保持させる工程と、を備える。【選択図】図２
2015185239.tif 000002
【特許請求の範囲】
【請求項１】
中空部を囲む筒状をなし、前記中空部の径方向の外側に向かって膨出する複数の山部と、前記山部の外径よりも小さい外径および前記山部の内径よりも小さい内径を有する複数の谷部とが軸方向に沿って交互に並ぶ形状を有することにより弾性的に曲げ変形可能な外装部材を準備する工程と、
前記外装部材の前記中空部に電線を挿入する工程と、
前記電線および当該電線が挿入される前記外装部材を曲げ変形させることにより所定の配索形状にする工程と、
前記所定の配索形状に変形させた外装部材の外周面を当該外装部材の周方向に取り囲むように熱収縮部材を配置する工程と、
前記熱収縮部材を加熱することで前記外装部材の外周面に接するように当該外装部材の径方向に収縮させ、これにより前記電線を挿入した前記外装部材の配索形状を保持させる工程と、を備えるワイヤーハーネスの製造方法。
【請求項２】
前記熱収縮部材を配置する工程において、前記外装部材の軸方向における一部を当該外装部材の周方向に取り囲むように前記熱収縮部材を配置するとともに、
前記外装部材の配索形状を保持させる工程において、前記外装部材の軸方向における一部の外周面に接するように前記熱収縮部材を前記外装部材の径方向に収縮させることによって、当該一部を所定の配索形状に保持するとともに、前記外装部材の軸方向における残部を前記熱収縮部材から露出させることによって、当該残部を曲げ変形可能な状態とする、請求項１に記載のワイヤーハーネスの製造方法。
【請求項３】
電線と、
前記電線が挿入されるとともに、前記電線の径方向の外側に向かって膨出する複数の山部と、前記山部の外径よりも小さい外径および前記山部の内径よりも小さい内径を有する複数の谷部とが前記電線の軸方向に沿って交互に並ぶ形状を有し、前記電線が挿入された状態で所定の配索形状に曲げ変形可能な外装部材と、
前記外装部材の外周面を当該外装部材の周方向に取り囲むとともに、前記外装部材の径方向に収縮することで当該外装部材の外周面に接し、これにより前記電線が挿入された前記外装部材の配索形状を保持する収縮保持部材と、を備えるワイヤーハーネス。
【請求項４】
前記収縮保持部材は、前記外装部材の軸方向における一部を所定の配索形状に保持し、
前記外装部材の軸方向における残部は、前記収縮部材から露出することで曲げ変形可能である、請求項３に記載のワイヤーハーネス。
【請求項５】
前記収縮保持部材は、前記外装部材の軸方向における複数の部位にそれぞれ設けられており、
前記外装部材のうち前記各収縮保持部材の間の部位は、当該各収縮保持部材から露出することで曲げ変形可能である、請求項４に記載のワイヤーハーネス。
【請求項６】
前記外装部材は、当該外装部材の軸方向に沿って設けられ且つ当該外装部材を周方向において分断するとともに、前記電線を前記外装部材の内部に挿入するためのスリットを有し、
前記収縮保持部材は、前記スリットのうち前記外装部材の軸方向における少なくとも一部を塞ぐように、前記外装部材の外周面を当該外装部材の周方向に取り囲む、請求項３〜５のいずれか一項に記載のワイヤーハーネス。
【請求項７】
前記収縮保持部材の周方向における一部は、前記収縮保持部材の周方向における残部に比して、前記収縮保持部材の径方向における厚みが大きい肉厚部であり、
前記肉厚部は、前記外装部材の軸方向に沿って延びる、請求項３〜６のいずれか一項に記載のワイヤーハーネス。
【発明の詳細な説明】
【技術分野】
【０００１】
本発明は、自動車等に配索されるワイヤーハーネスの製造方法およびワイヤーハーネスに関する。
【背景技術】
【０００２】
従来、電線と、当該電線が挿入されており当該電線を保護する外装部材と、を備えたワイヤーハーネスが知られている。特許文献１には、電線と、当該電線が挿入されており山部と谷部とが電線の軸方向に沿って交互に並ぶ形状を有したコルゲートチューブと、を備えたワイヤーハーネスが記載されている。このコルゲートチューブは、山部および谷部が前記軸方向に沿って圧縮あるいは伸張することにより曲げ変形可能である。特許文献１に記載されたワイヤーハーネスでは、外装部材として曲げ変形可能なコルゲートチューブを用いることで、当該コルゲートチューブにより電線を保護しつつ、当該コルゲートチューブを曲げ変形させることによりワイヤーハーネスを所望の配索形状に変形させることができる。
【０００３】
前記コルゲートチューブは、比較的低い剛性を有するため、容易に曲げ変形されるものの、当該コルゲートチューブ自体あるいは電線の弾性復元力によって曲げ変形される以前の状態に戻ろうとするため、ワイヤーハーネスを所望の配索形状に保持することが困難である。そこで、特許文献１には、ワイヤーハーネスが自動車等に配索される場合において、曲げ変形された前記コルゲートチューブの各谷部のそれぞれにホットメルト接着剤を充填して硬化させることにより、ワイヤーハーネスの配索形状を保持することが記載されている。
【先行技術文献】
【特許文献】
【０００４】
【特許文献１】特開２０１３−４２６４６号公報
【発明の概要】
【発明が解決しようとする課題】
【０００５】
特許文献１に記載されたワイヤーハーネスは、外装部材に相当するコルゲートチューブの山部同士を接着するホットメルト接着剤のみによって、外装部材の形状が保持されるものであるため、当該形状を十分な剛性でもって保持することが困難である。
【０００６】
また、特許文献１に記載されたワイヤーハーネスにおいて、外装部材の形状を保持するためには、当該外装部材の各谷部のそれぞれにホットメルト接着剤を充填する必要がある上、当該各谷部のそれぞれに充填されたホットメルト接着剤を硬化させる必要があるため、製造工程が複雑化する。
【０００７】
本発明は、上記の観点からなされたものであり、その目的は、曲げ変形可能な外装部材の配索形状を十分な剛性でもって保持することができるワイヤーハーネスを簡易な工程で製造する方法を提供すること、および、曲げ変形可能な外装部材の配索形状を十分な剛性でもって保持することができるワイヤーハーネスを提供することにある。
【課題を解決するための手段】
【０００８】
本発明に係るワイヤーハーネスの製造方法は、中空部を囲む筒状をなし、前記中空部の径方向の外側に向かって膨出する複数の山部と、前記山部の外径よりも小さい外径および前記山部の内径よりも小さい内径を有する複数の谷部とが軸方向に沿って交互に並ぶ形状を有することにより弾性的に曲げ変形可能な外装部材を準備する工程と、前記外装部材の前記中空部に電線を挿入する工程と、前記電線および当該電線が挿入される前記外装部材を曲げ変形させることにより所定の配索形状にする工程と、前記所定の配索形状に変形させた外装部材の外周面を当該外装部材の周方向に取り囲むように熱収縮部材を配置する工程と、前記熱収縮部材を加熱することで前記外装部材の外周面に接するように当該外装部材の径方向に収縮させ、これにより前記電線を挿入した前記外装部材の配索形状を保持させる工程と、を備える。
【０００９】
上記のワイヤーハーネスの製造方法によれば、外装部材を周方向に取り囲むように配置した熱収縮部材を加熱するだけで、外装部材の配索形状を十分な剛性でもって保持することができる。具体的には、上記のワイヤーハーネスでは、加熱によって熱収縮部材が外装部材の径方向に収縮し、当該外装部材の外周面に接することによって、外装部材および当該外装部材の中空部に位置する電線を拘束し、これにより配索形状を保持することができる。さらに、外装部材の径方向における当該外装部材と熱収縮部材との重合によって、当該外装部材と熱収縮部材とによって構成される保護部材の剛性が著しく増加し、これにより外装部材の配索形状を十分な剛性でもって保持することができる。
【００１０】
前記熱収縮部材を配置する工程において、前記外装部材の軸方向における一部を当該外装部材の周方向に取り囲むように前記熱収縮部材を配置するとともに、前記外装部材の配索形状を保持させる工程において、前記外装部材の軸方向における一部の外周面に接するように前記熱収縮部材を前記外装部材の径方向に収縮させることによって、当該一部を所定の配索形状に保持するとともに、前記外装部材の軸方向における残部を前記熱収縮部材から露出させることによって、当該残部を曲げ変形可能な状態とすることが好ましい。
【００１１】
上記のワイヤーハーネスの製造方法では、外装部材によって当該外装部材の軸方向における長い領域に亘って電線を保護できるとともに、当該外装部材の軸方向の一部にのみ熱収縮部材を設けるだけで、熱収縮部材が設けられる配索形状保持部分と熱収縮部材から外装部材が露出する曲げ変形自由部分とによって前記ワイヤーハーネスを構成することができるため、配索形状を保持する必要がある外装部材の軸方向の一部のみを少ない熱収縮部材で効率的に保持することができる。
【００１２】
本発明に係るワイヤーハーネスは、電線と、前記電線が挿入されるとともに、前記電線の径方向の外側に向かって膨出する複数の山部と、前記山部の外径よりも小さい外径および前記山部の内径よりも小さい内径を有する複数の谷部とが前記電線の軸方向に沿って交互に並ぶ形状を有し、前記電線が挿入された状態で所定の配索形状に曲げ変形可能な外装部材と、前記外装部材の外周面を当該外装部材の周方向に取り囲むとともに、前記外装部材の径方向に収縮することで当該外装部材の外周面に接し、これにより前記電線が挿入された前記外装部材の配索形状を保持する収縮保持部材と、を備える。
【００１３】
上記のワイヤーハーネスでは、外装部材を周方向に取り囲む収縮保持部材が当該外装部材の外周面に接するように当該外装部材の径方向に収縮するため、収縮保持部材によって外装部材の配索形状を十分な剛性でもって保持することができるとともに、外装部材に挿入される電線を当該外装部材に加えて収縮保持部材によっても保護することができるため、当該収縮保持部材を設けない場合に比して電線を効果的に保護することができる。
【００１４】
前記収縮保持部材は、前記外装部材の軸方向における一部を所定の配索形状に保持し、前記外装部材の軸方向における残部は、前記収縮部材から露出することで曲げ変形可能であることが好ましい。
【００１５】
上記のワイヤーハーネスでは、外装部材によって当該外装部材の軸方向における長い領域に亘って電線を保護できるとともに、当該外装部材の軸方向の一部にのみ熱収縮部材が設けられることで、配索形状を保持する必要がある当該外装部材の軸方向の一部のみを少ない熱収縮部材で効率的に保持しつつ、外装部材の軸方向の残部を自由に変形させながら前記ワイヤーハーネスを配索することができる。
【００１６】
前記収縮保持部材は、前記外装部材の軸方向における複数の部位にそれぞれ設けられており、前記外装部材のうち前記各収縮保持部材の間の部位は、当該各収縮保持部材から露出することで曲げ変形可能である。
【００１７】
上記のワイヤーハーネスでは、外装部材のうち各収縮保持部材の間の部位を自由に変形させつつ前記ワイヤーハーネスを配索することができる。
【００１８】
前記外装部材は、当該外装部材の軸方向に沿って設けられ且つ当該外装部材を周方向において分断するとともに、前記電線を前記外装部材の内部に挿入するためのスリットを有し、前記収縮保持部材は、前記スリットのうち前記外装部材の軸方向における少なくとも一部を塞ぐように、前記外装部材の外周面を当該外装部材の周方向に取り囲むことが好ましい。
【００１９】
上記のワイヤーハーネスでは、スリットを通じて電線を外装部材の内部へ容易に挿入することができるとともに、当該電線が挿入された外装部材を周方向に取り囲む収縮保持部材が当該外装部材の軸方向におけるスリットの少なくとも一部を塞ぐため、収縮保持部材によってスリットが幅方向に広がることを抑止でき、これにより外装部材の内部に挿入された電線がスリットを通じて当該外装部材の外部へ抜け出てしまうことを抑止できる。
【００２０】
前記収縮保持部材の周方向における一部は、前記収縮保持部材の周方向における残部に比して、前記収縮保持部材の径方向における厚みが大きい肉厚部であり、前記肉厚部は、前記外装部材の軸方向に沿って延びることが好ましい。
【００２１】
上記のワイヤーハーネスでは、収縮保持部材の周方向における一部である肉厚部が外装部材の軸方向に沿って延びるため、当該肉厚部によって収縮保持部材の剛性が高まり、これによって外装部材の配索形状をより十分な剛性でもって保持することができる。
【発明の効果】
【００２２】
以上のように、本発明によれば、曲げ変形可能な外装部材の配索形状を十分な剛性でもって保持することができるワイヤーハーネスを簡易な工程で製造する方法、および曲げ変形可能な外装部材の配索形状を十分な剛性でもって保持することができるワイヤーハーネスが提供される。
【図面の簡単な説明】
【００２３】
【図１】本実施形態に係るワイヤーハーネスを示す概略平面図である。
【図２】本実施形態に係るワイヤーハーネスの要部を示す軸方向の概略断面図である。
【図３】本実施形態に係るワイヤーハーネスの要部を示す径方向の概略断面図である。
【図４】本実施形態に係るワイヤーハーネスの製造工程において、外装部材に電線が挿入された状態を示す図である。
【図５】本実施形態に係るワイヤーハーネスの製造工程において、外装部材に熱収縮部材を巻き付けた状態を示す図である。
【図６】本実施形態に係るワイヤーハーネスにおける変形例の要部を示す軸方向の概略断面図であって、図３と同様の部位を示す。
【図７】本実施形態に係るワイヤーハーネスにおける他の変形例を示す概略平面図である。
【発明を実施するための形態】
【００２４】
以下、本発明の一実施形態について、図面を参照しながら説明する。但し、以下で参照する各図は、説明の便宜上、本発明の一実施形態の構成部材のうち、本発明を説明するために必要な主要部材を簡略化して示したものである。したがって、本発明に係るワイヤーハーネスは、本明細書が参照する各図に示されていない任意の構成部材を備え得る。
【００２５】
図１は、本実施形態に係る製造方法によって製造された製品であるワイヤーハーネスＸ１を示している。このワイヤーハーネスＸ１は、曲線形状をなした曲線部Ｃ１と、当該ワイヤーハーネスＸ１の軸方向において曲線部Ｃ１を挟んで位置するとともに直線形状をなした２つの直線部Ｓ１と、によって構成されている。ワイヤーハーネスＸ１は、前記曲線部Ｃ１と前記各直線部Ｓ１とを有する配索形状によって、例えば自動車等に配索される。
【００２６】
ワイヤーハーネスＸ１は、電線１と、外装部材２と、収縮保持部材３と、を備えている。以下では、図１に加えて図２および図３を参照しつつ、ワイヤーハーネスＸ１が備える上記の各部材について詳細に説明する。
【００２７】
電線１は、ワイヤーハーネスＸ１が例えば自動車等に配索される場合に、当該自動車等が備える種々の電子機器あるいは電装部品等に接続される。電線１は、例えば、銅などの良導電性金属材料からなる導体と、当該導体を被覆するとともに絶縁性を有する合成樹脂材料からなる絶縁被覆と、によって構成される。なお、電線１の本数は任意であって、ワイヤーハーネスＸ１が配索される自動車等が備える電子機器あるいは電装部品等の個数に応じて適宜変更することができる。
【００２８】
外装部材２は、電線１を保護する部材である。外装部材２は、電線１の軸方向に沿って延びる筒状の部材であって、当該電線１が挿入された中空部２１を有している。本実施形態では、外装部材２は、電線１の軸方向に沿って長く延びているため、中空部２１に挿入された電線１を当該軸方向における長い領域に亘って保護することができる。外装部材２および当該外装部材２の中空部２１に挿入された電線１は、ワイヤーハーネスＸ１の曲線部Ｃ１および各直線部Ｓ１に対応した形状をなしている。外装部材２は、例えば弾性を有する合成樹脂材料からなる。
【００２９】
外装部材２は、電線１の軸方向に沿って複数の山部２２と複数の谷部２３とが交互に並ぶ形状を有している。各山部２２は、中空部２１に挿入された電線１の径方向の外側に向かって膨出しており、前記電線１を周方向に取り囲む内周面２２Ａと、当該内周面２２Ａの反対側に位置する外周面２２Ｂと、を有している。一方、各谷部２３は、電線１を周方向に取り囲むとともに前記各山部２２の内周面２２Ａよりも小さい径を有する内周面２３Ａと、当該内周面２３Ａの反対側に位置するとともに前記各山部２２の外周面２２Ｂよりも小さい径を有する外周面２３Ｂと、を有している。このため、外装部材２の中空部２１に挿入された電線１は、谷部２３の内周面２３Ａによって当該電線１の径方向における変位を規制され、これにより山部２２の内周面２２Ａとは離間した状態で保持されている。外装部材２は、山部２２および谷部２３を当該外装部材２の軸方向において圧縮あるいは伸長させることにより所定の配索形状に曲げ変形可能である。
【００３０】
本実施形態では、外装部材２は、電線１を当該外装部材２の中空部２１へ容易に挿入するためのスリット２４をさらに有している。スリット２４は、外装部材２の軸方向に沿って設けられており、当該外装部材２を周方向において分断している。なお、スリット２４はなくともよい。
【００３１】
収縮保持部材３は、ワイヤーハーネスＸ１の曲線部Ｃ１に対応して設けられており、当該曲線部Ｃ１における外装部材２を周方向に取り囲んでいる。具体的には、収縮保持部材３は、当該収縮保持部材３の周方向における両端部である第１端部３１および第２端部３２を有しており、第１端部３１の外周面と第２端部３２の内周面とが図示しない接着剤によって接着されることで、曲線部Ｃ１における外装部材２を周方向に取り囲んでいる。収縮保持部材３のうち第１端部３１と第２端部３２とが重合する部位は、当該収縮保持部材３の周方向における他の部位に比して当該収縮保持部材３の径方向における厚みが大きい肉厚部３３となり、当該肉厚部３３が外装部材２の軸方向に沿って延びている。
【００３２】
収縮保持部材３は、外装部材２の径方向に収縮することによって当該外装部材２に接している。具体的には、曲線部Ｃ１に対応する外装部材２を周方向に取り囲んでいる収縮保持部材３は、当該外装部材２の径方向に収縮することによって、当該外装部材２における各山部２２の外周面２２Ｂに当接している。これにより、ワイヤーハーネスＸ１の曲線部Ｃ１には、電線１を周方向に取り囲むように当該電線１の径方向において互いに重合した外装部材２および収縮保持部材３が設けられている。
【００３３】
以上説明したワイヤーハーネスＸ１は、図４および図５に示す工程を含む方法によって、合理的かつ容易に製造される。以下では、図１〜３に加えて図４および図５を参照しつつ、ワイヤーハーネスＸ１の製造方法について詳細に説明する。
【００３４】
１）外装部材に対する電線の挿入工程
この工程では、まず、電線１および外装部材２が準備される。電線１は、例えば、銅などの良導電性金属材料からなる導体と、当該導体を被覆するとともに絶縁性を有する合成樹脂材料からなる絶縁被覆と、によって構成されるとともに、押出し成形によって生産される。外装部材２は、例えば合成樹脂材料によって、弾性的に曲げ変形可能となるように形成される。外装部材２は、中空部２１を囲む筒状をなし、当該中空部２１の径方向の外側に向かって膨出する複数の山部２２と、当該山部２２の内径よりも小さい内径および当該山部２２の外径よりも小さい外径を有する複数の谷部２３とが軸方向に沿って交互に並ぶ形状を有する。そして、外装部材２には、当該外装部材２の軸方向に沿って延びるとともに当該外装部材２を周方向において分断するスリット２４が形成される。
【００３５】
次に、図４に示されるように、電線１が外装部材２の中空部２１に挿入される。具体的には、電線１は、外装部材２のスリット２４を幅方向に広げることによって当該スリット２４を通じて外装部材２の中空部２１に収容される。外装部材２の中空部２１に位置する電線１は、各谷部２３の内周面２３Ａによって軸方向における変位を規制され、これにより各山部２２の内周面２２Ａとは離間した状態で保持される。
【００３６】
なお、スリット２４は外装部材２に設けられていなくともよく、この場合、電線１は外装部材２の軸方向に沿って当該外装部材２の中空部２１に挿入される。
【００３７】
２）熱収縮部材の配置工程
この工程では、まず、シート状の熱収縮部材４が準備される。熱収縮部材４は、ワイヤーハーネスＸ１における収縮保持部材３に対応しており、加熱によって収縮することが可能な部材である。熱収縮部材４は、例えば、ポリオレフィン、フッソ系ポリマー、あるいは熱可塑性エラストマー等を主原料として構成される。
【００３８】
次に、図５に示されるように、熱収縮部材４が外装部材２のうち所定の配索形状に曲げ変形された部位を周方向に取り囲むように配置される。具体的には、まず、電線１が挿入された外装部材２が曲げ変形されることによって、当該外装部材２が所定の配索形状に変形される。そして、外装部材２が所定の配索形状に変形された状態で、当該外装部材２のうち曲げ変形された部位にシート状の熱収縮部材４が巻き付けられる。この際、シート状の熱収縮部材４の第１端部４１と第２端部４２とが外装部材２の径方向において重ねられ、当該重ねられた第１端部４１と第２端部４２とが接着剤によって接着されることで、熱収縮部材４が外装部材２を周方向に取り囲むように配置される。
【００３９】
なお、熱収縮部材４はシート状でなくともよく、例えば、筒状の熱収縮部材４に外装部材２が挿入されることによって当該熱収縮部材４が外装部材２を周方向に取り囲むように配置されてもよい。
【００４０】
３）熱収縮部材の加熱工程
この工程では、外装部材２が所定の配索形状に変形された状態で、当該外装部材２のうち曲げ変形された部位を周方向に取り囲むように配置された熱収縮部材４が加熱される。熱収縮部材４は、前記加熱によって外装部材２の径方向に収縮されることで、外装部材２における各山部２２の外周面２２Ｂに当接され、これにより外装部材２の径方向において当該外装部材２と熱収縮部材４とが重合される。このようにして収縮された熱収縮部材４によって、外装部材２および当該外装部材２の中空部２１に位置する電線１の動きが規制され、これにより外装部材２の配索形状が保持される。以上より、図１〜図３に示されるワイヤーハーネスＸ１の製造が完了する。
【００４１】
上記のワイヤーハーネスＸ１の製造方法では、弾性的に曲げ変形可能な外装部材２に電線１を挿入することで、当該電線１を外装部材２の軸方向の長い領域に亘って保護しつつ、当該電線１が挿入された状態で外装部材２を曲げ変形させることにより配索形状を自在に変形できるとともに、外装部材２を周方向に取り囲むように配置された熱収縮部材４を加熱するだけで、外装部材２の前記配索形状を十分な剛性でもって保持することができる。具体的には、上記のワイヤーハーネスＸ１の製造方法では、加熱によって熱収縮部材４が外装部材２の径方向に収縮するとともに当該外装部材２における山部２２の外周面２２Ｂに接することで、外装部材２および当該外装部材２の中空部２１に位置する電線１の動きが規制され、これにより配索形状を保持することができる。さらに、前記加熱による熱収縮部材４の収縮によって、外装部材２の径方向において当該外装部材２と熱収縮部材４とが互いに重合することで、当該外装部材２と熱収縮部材４とによって構成される保護部材の剛性が著しく増加し、これにより外装部材２の配索形状を十分な剛性でもって保持することができる。
【００４２】
さらに、上記のワイヤーハーネスＸ１の製造方法では、外装部材２のうち曲げ変形された部位のみを周方向に取り囲むように熱収縮部材４が設けられているため、少ない熱収縮部材４によって、外装部材２のうち当該外装部材２および電線１の弾性復元力によって配索形状が保持されにくい部位を効果的に保持することができる。
【００４３】
なお、上記のワイヤーハーネスＸ１の製造方法では、熱収縮部材４が外装部材２のうち曲げ変形された部位のみを周方向に取り囲むように設けられるが、これに限らず、熱収縮部材４は外装部材２のうち配索形状を保持したい部位に設けられていればよい。例えば、熱収縮部材４は、外装部材２のうち曲げ変形されない部位を周方向に取り囲むように配置され、加熱によって当該部位に接するように外装部材２の径方向に収縮されることで、当該部位の直線形状を保持していてもよい。
【００４４】
さらに、上記のワイヤーハーネスＸ１の製造方法では、外装部材２における山部２２の内周面２２Ａと電線１とが離間した状態で熱収縮部材４が加熱されるため、当該加熱によって電線１が劣化することを抑止できる。具体的には、熱収縮部材４が加熱されることで外装部材２の山部２２の外周面２２Ｂに接するように収縮された場合、熱収縮部材４に加えられた熱が当該熱収縮部材４に接する外装部材２の山部２２へ伝達されるが、上記のワイヤーハーネスＸ１の製造方法では、谷部２３の内周面２３Ａにより電線１の径方向における変位が規制されることで、電線１と山部２２の内周面２２Ａとが互いに接触しないように離間した状態で前記加熱が行われるため、当該山部２２から電線１へ熱が伝達されることを抑止でき、これにより前記加熱によって外装部材２の中空部２１に位置する電線１が劣化することを抑止できる。
【００４５】
さらに、上記のワイヤーハーネスＸ１の製造方法では、シート状の熱収縮部材４が外装部材２に巻き付けられ、当該熱収縮部材４の第１端部４１と第２端部４２とが外装部材２の径方向において重合するように接着されるため、簡易な工程で熱収縮部材４に保持される外装部材２の剛性をより効果的に高めることができる。具体的には、上記のワイヤーハーネスＸ１の製造方法では、熱収縮部材４の第１端部４１と第２端部４２とが外装部材２の径方向において重合するように接着されるだけで、当該熱収縮部材４が外装部材２を周方向に取り囲むように配置されるとともに、第１端部４１と第２端部４２との重合部分が熱収縮部材４の周方向における他の部分に比して肉厚となるため、これにより外装部材２の剛性をより効果的に高めることができる。
【００４６】
さらに、上記のワイヤーハーネスＸ１の製造方法では、熱収縮部材４が加熱によって収縮されることで、当該熱収縮部材４が外装部材２の軸方向におけるスリット２４の一部を塞ぎ、これにより当該スリット２４が幅方向に広がることを抑止できる。このため、上記のワイヤーハーネスＸ１の製造方法では、例えばテープ部材を貼り付けることによってスリット２４を塞ぐ等の煩わしい作業を行うことなく、当該スリット２４を通じて電線１が外装部材２の外部へ抜け出てしまうことを抑止できる。
【００４７】
以上、ワイヤーハーネスＸ１およびワイヤーハーネスＸ１の製造方法について詳細に説明したが、本発明はこれらに限定されるものではなく、種々の変形が可能である。
【００４８】
ワイヤーハーネスＸ１では、収縮保持部材３における第１端部３１の外周面と第２端部３２の内周面とが外装部材２の径方向において重なることで肉厚部３３が構成されているが、これに限らず、肉厚部３３は、収縮保持部材３の周方向における一部が当該周方向における残部に比して肉厚となっていればよい。
【００４９】
例えば、図６に示すように、収縮保持部材３における第１端部３１の内周面と第２端部３２の内周面とが図示しない接着剤によって接着され、当該第１端部３１および第２端部３２が外装部材２の径方向の外側に延びることで肉厚部３３が構成されていてもよい。
【００５０】
ワイヤーハーネスＸ１では、収縮保持部材３が曲線部Ｃ１に対応する外装部材２の配索形状を保持することにより、当該ワイヤーハーネスＸ１が曲線部Ｃ１と各直線部Ｓ１とを有する配索形状をなした状態で自動車等に配索されるが、これに限らず、収縮保持部材３によって外装部材２における軸方向の一部の配索形状を保持しつつ当該軸方向の残部の配索形状を変形させながら自動車等に配索されてもよい。
【００５１】
例えば、図７に示すように、外装部材２の軸方向における２箇所に対応して２つの収縮保持部材３を設けることで当該２箇所を配索形状保持部Ｈ１とし、各配索形状保持部Ｈ１の間において収縮保持部材３から外装部材２が露出した箇所を曲げ変形自由部Ｆ１としてもよい。図７に示すワイヤーハーネスＸ１では、外装部材２によって当該外装部材２の軸方向における長い領域に亘って電線１を保護することができるとともに、自動車等への配索前に当該配索形状を保持すべき各配索形状保持部Ｈ１を少ない収縮保持部材３によって効率的に保持しつつ、自動車等への配索時に配索形状保持部Ｈ１の間に位置する曲げ変形自由部Ｆ１を自在に変形させながら当該配索を行うことができる。
【符号の説明】
【００５２】
Ｘ１    ワイヤーハーネス
１      電線
２      外装部材
２１    中空部
２２    山部
２３    谷部
２４    スリット
３      収縮保持部材
３３    肉厚部
４      熱収縮部材
【図１】
2015185239.tif 000003
【図２】
2015185239.tif 000004
【図３】
2015185239.tif 000005
【図４】
2015185239.tif 000006
【図５】
2015185239.tif 000007
【図６】
2015185239.tif 000008
【図７】
2015185239.tif 000009